(57)【要約】【課題】便利性と実用性を具えたテーブル表板の嵌合構造を提供する。【解決手段】テーブル表板下方の四端面の適当な箇所にそれぞれ嵌合構造を固定設置し、テーブル脚構造は接合構造によって横ロッドと柱ロッドと接合ロッドを組み合わせ、テーブル表板とテーブル脚構造が相互にぴったり合う際に、嵌合構造に設置されていた接合構造の曲がりブロックをテーブル脚構造の柱ロッドにぴったり嵌め込ませ、一方、テーブル表板とテーブル脚構造を分解しようとする際には、嵌合構造にある曲がりブロックをテーブル脚構造の柱ロッドから外させればいいし、それに、嵌合構造も完全にテーブル表板の下にぴったり合わせることができ、安全防護措置を提供し、テーブル脚構造にある横ロッドに設置されていた長い溝状孔が収合作業する際に楽に旋転でき、接合構造の接続ベースが突出するため破壊されるのを防止できる構造を備える。【選択図】        図３
0003105517.tif 000002
【実用新案登録請求の範囲】
【請求項１】
テーブル表板と、嵌合構造と、テーブル脚構造とを有し、
前記テーブル表板は平面状の板体であり、
前記嵌合構造は、ピボット接合ベースと、接続ブロックと、接合ブロックとを有し、
前記ピボット接合ベースは、表面に二つのボルト穴を設けており、ボルトによりテーブル表板の底端に直接固定設置できるとともに、底端表面から伸ばしたブロック二つの通し孔を具え、
前記接続ブロックは、二端にゲージ穴を設けるブロックを有し、その別の一端の突部を伸ばし、それに、突部の該端に設けられていたゲージ穴は接続ベースと大きさが違うため嵌合止め部を形成し、
前記接合ブロックは、先端に設けられる半円形状の曲がりブロック及び別端に伸ばした止め部を有し、前記止め部はそれぞれ通し孔を具え、リベットにより前記ピボット接合ベースに設ける通し孔を貫き、前記接続ベースにあるゲージ穴を固定して、そしてリベットで順番に前記接続ベース前端のゲージ穴、前記接合ブロックの通し孔を貫き、前記嵌合構造の嵌合機能を達成し、
ボルトをピボット接合ベースのボルト穴に挿し込み、前記嵌合構造をぴったり前記テーブル表板の底端面に固定接合設置させ、
前記テーブル脚構造は、接合構造と、横ロッドと、柱ロッドと、接合ロッドとを有し、    前記接合構造は、下方へ伸びる長い矩形ブロックであり、それに柱ロッドを貫き固定させるため、挿し入れ穴具え、前記接合構造の前端に窪んでいる円周形状の横ロッド曲がり部の両側から伸ばしたボルト穴のある接続ベースを具え、
ボルトで順番に前記接合構造のボルト穴、横ロッドに掘っていた長い溝状孔を貫き固定させ、前記接合構造の下方端には接合ロッドをピボット接合させるために、ピボット接合ブロックを設置する
ことを特徴とするテーブル表板の嵌合構造。
【考案の詳細な説明】
【技術分野】
【０００１】
本考案は、一種のテーブル表板の嵌合構造に関するものであり、特に、一種のテーブル表板やテーブル脚を嵌合したり分解したりすることを楽に行うことができるテーブル表板の嵌合構造に関する。
【背景技術】
【０００２】
現在の日常生活の周囲環境では、テーブルは不可欠の応用家具の一つで、その主たる機能は食べ物や飲み物などを置く場所を提供して、石器時代の石製テーブルから、その後の木製テーブルなどの現代の様々な素材から成るテーブルは、外観の設計を強調するだけでなく、実用性と機能性も日に日に重視されていく。だが、日に日に狭くなった住む（生活）範囲では、優れた収合と収納機能を兼備しているテーブルは消費者一番の選択肢になる。
【０００３】
しかしながら、現在市場で売っているテーブルは、簡単な嵌合方式で組み合わせる構造である。現在市場で売っている従来のテーブルについて、まず、図１、図２に示す従来技術の実施状態説明図を参照して説明する。従来技術のテーブル脚構造８は、それぞれ四端に設置されていた接合構造を具え、それによって、別々に横ロッド８１と柱ロッド８２と接合ロッド８３とピボット接合して組み合わせる構造である。接続ベース７１（従来技術）の前端に一つのボルト孔を具え、それによって、横ロッド８１にある通し孔８１１を貫いて接合固定設置を提供する。一方、横ロッド８１の別の一端を直接に接合構造７に設けられた曲がりブロック７２に置いており、テーブル表板３下の四端にはそれぞれの嵌合ブロック９を具え、嵌合ブロック９の下に半円周形の曲がりブロック９１を設置しており、曲がりブロック９１によって、テーブル脚構造８にある柱ロッド８２とぴったり嵌合仕上がることになる。
【０００４】
テーブル表板３をテーフル脚構造８から分離する場合には、テーブル表板３に設置していた嵌合ブロック９にある曲がりブロック９１をテーブル脚構造８にある柱ロッド８１から脱離させると完成する。一方、テーブル脚構造８を収合を行う時に、まず、通し孔８１１を軸として別端を旋転して、下に方向に垂直状態になるため、横ロッド８１に前端を引き上げて、柱ロッド８２と接合ロッド８３を収合させて構成する。
【０００５】
しかしながら、従来技術の収合作業は、以下の欠点を有していた。
【０００６】
一、 従来品においては、テーブル表板３をテーブル脚構造８から分離させた後、嵌合ブロック９が楽に移動して収合作業を順調にできず、収納する時も不意に力を入れるため、嵌合ブロック９を破損しまう恐れがある。
【０００７】
二、  従来品のテーブル脚構造８が収合させた時に、接合構造７に設けられていた接続ベース７１が横ロッド８１を収合すべき箇所に旋転するのに応じて、長さを引き伸ばすのは必要なことになった。そうすると、接続ベース７１の長さが長すぎて、収納するのに極めて不便である。
【０００８】
上述の総合として、従来技術のテーブル表板の嵌合構造設計は、使用者にとって優れた収納する機能を提供することができないという結論が得られた。
【０００９】
なお、本願出願人が実用新案登録出願時に知っている先行技術は、上記において説明したようなものであって文献公知に係る考案ではないため、記載すべき先行技術情報はない。
【考案の開示】
【考案が解決しようとする課題】
【００１０】
本考案は、従来の技術の有する上記したような種々の問題点に鑑みてなされたものであり、その目的とするところは、便利性と実用性を具えたテーブル表板の嵌合構造を提供しようとするものである。
【００１１】
即ち、本考案者は改良を考え、実務経験と不断の研究改良進歩を結合して、終に一種のテーブル表板の嵌合構造を考案し、更に、便利性と実用性を具えた嵌合構造を提供した。
【課題を解決するための手段】
【００１２】
上記目的を達成するために、本考案によるテーブル表板の嵌合構造は、テーブル表板下方の四端面の適当な箇所にそれぞれ嵌合構造を固定設置し、テーブル脚構造は接合構造によって横ロッドと柱ロッドと接合ロッドを組み合わせ、テーブル表板とテーブル脚構造が相互にぴったり合う際に、嵌合構造に設置されていた接合構造の曲がりブロックをテーブル脚構造の柱ロッドにぴったり嵌め込ませ、一方、テーブル表板とテーブル脚構造を分解しようとする際には、嵌合構造にある曲がりブロックをテーブル脚構造の柱ロッドから外させればいいし、それに、嵌合構造も完全にテーブル表板の下にぴったり合わせることができ、安全防護措置を提供し、テーブル脚構造にある横ロッドに設置されていた長い溝状孔が収合作業する際に楽に旋転でき、接合構造の接続ベースが突出するため破壊されるのを防止できる構造を備えるものである。
【考案の効果】
【００１３】
本考案は、便利性と実用性を具えたテーブル表板の嵌合構造を提供することができるという優れた効果を奏する。
【００１４】
また、本考案は、椅子やテーブルの使用期間を延長し、かつ、収合作業を便利にするという極めて優れた構造を提供することができるという優れた効果を奏する。
【考案を実施するための最良の形態】
【００１５】
本考案の構造の特徴及び特長を明確に説明するために、添付図を利用して以下に詳細説明する。
【００１６】
まず、図３の本考案に係るテーブル表板と嵌合構造の立体分解図を参照して説明する。嵌合構造１の主要なものは次の通りである。その主要なものはピボット接合ベース１１と接続ブロック１２及び接合ブロック１３で構成する。その中で、ピボット接合ベース１１の表面に二つのボルト穴１１１を設けており、ボルトによりテーブル表板３の底端に直接固定設置でき、ピボット接合ベース１１の底端表面から伸ばしたブロックの二つの通し孔１１２を具える。また、接続ブロック１２の構造設計の主要なものは二端にゲージ穴１２１を設けるブロックであり、その別の一端の突部１２３を伸ばし、それに、突部１２３の該端に設けられていたゲージ穴１２２は接続ベース１２との大きさが違うので、嵌合止め部１２４が形成されている。接合ブロック１３は先端に設けられる半円形状の曲がりブロック１３２及び別端に伸ばした止め部１３３から構成した構造である。
【００１７】
止め部１３３はそれぞれ通し孔１３１を具え、リベット１０によりピボット接合ベース１１に設けた通し孔１１２を貫き、接続ベース１２にあるゲージ穴１２１を固定して、そしてリベット１０で順番に接続ベース１２前端のゲージ穴１２２、接合ブロック１３の通し孔１３１を貫き、嵌合構造１の嵌合機能を達成した。そして、ボルトをピボット接合ベース１１のボルト穴１１１に挿し込み、嵌合構造１をぴったりテーブル表板３の底端面に固定接合設置させる。
【００１８】
さらに、図４の本考案に係るテーブル脚構造の立体分解図を参照して説明する。本考案のテーブル脚構造４は接合構造２と横ロッド４１と柱ロッド４２及び接合ロッド４３から構成したものである。その中で、接合構造２は下方へ伸びた長い矩形ブロックであり、それに柱ロッド４２を貫き固定させるため、挿し入れ穴２１具え、接合構造２の前端に窪んでいる円周形状の横ロッド曲がり部２２の両側から伸ばしたボルト穴２３１のある接続ベース２３を具える。
【００１９】
一方、接合構造２の実際の組み立てでは、先ず、ボルト２４で順番に接合構造２のボルト穴２３１、横ロッド４１に掘っていた長い溝状孔４１１を貫き固定させる。接合構造２の下方端には接合ロッド４３をピボット接合させるために、ピボット接合ブロック２５を設置する。
【００２０】
本考案のテーブル表板３及びテーブル脚構造４の組み立て方式を、以下に説明する。
【００２１】
図５を参照して説明する。テーブル表板３をテーブル脚構造４の上方に設置し、そして、曲がりブロック１３２を柱ロッド４２の上に相互に嵌合させる。そうすると、テーブル表板３は四端に設けていた嵌合構造１の曲がりブロック１３２の方向が相対応しているので、滑りなどを確実に防止できるようになる。
【００２２】
それに、接合ブロック１３の止め部１３３が接続ベース１２の嵌合止め部１２４と相互に抵抗状態になり、テーブル表板３及びテーブル脚構造４を容易に移動させない効果が得られるようになる。
【００２３】
次に、図６、図7を参照して説明する。テーブル表板３をテーブル脚構造４から脱離する場合には、嵌合構造１の曲がりブロック１３２を柱ロッド４２から脱離させ、接合ブロック１３をピボット接合ベース１１の方向のうち側に収納し、接合ブロック１３をテーブル表板３と水平状態にさせて達成する。
【００２４】
図８と図９と図１０を参照して、本考案のテーブル脚構造４を収合する実施の形態を説明する。横ロッド４１に窪んでいた長い溝状孔４１１により横ロッド４１を相対端（右側）に引き伸ばし移動する。長い溝状孔４１１とボルト２４とは相互に抵抗状態になっており、又、ボルト２４を軸として横ロッド４１は外側（左側）に地面と垂直状態になるため、旋転してテーブル脚構造４の収合作業を達成する。
【００２５】
上述の説明により、本考案の嵌合構造の優れた点を以下のように整理して説明する。
【００２６】
一、  テーブル表板３が収合した時、嵌合構造１の接合ブロック１３がテーブル表板３と水平状態を構成するので、使用者が収合や収納作業を行なう時接合ブロック１３を破損することなく使用寿命を延ばす効果を奏する。
【００２７】
二、  横ロッド４２に長い溝状孔４１１が設けられるので、収合する時に容易に折疊収納するだけではなく、接続ベース２３の突き出す部分も小さくなるし、容易に緩み破損しなく使用期限を延びる効果に達成できる。
【００２８】
上述の総合として、本考案によるテーブル表板の嵌合構造は、従来技術の嵌合構造の欠点を効果的に改良しており、疑いもなく使用者に相当な便利を提供する。従って、本考案の構造は極めて優れた実用性と進歩性を兼備しており、実用新案登録の要件に適合するため、ここに法に則り出願を提出する。
【００２９】
なお、上記の各構造は、椅子に応用するするようにしてもよい。
【産業上の利用可能性】
【００３０】
本考案は、各種素材よりなるテーブルを作製する際に利用されるものである。
【図面の簡単な説明】
【００３１】
【図１】本考案に係る従来技術のテーブル表板と接合構造の実施状態説明図である。
【図２】本考案に係る従来技術のテーブル脚構造における横ロッドを収合する説明図である。
【図３】本考案に係るテーブル表板と嵌合構造の立体分解図である。
【図４】本考案に係るテーブル脚構造と接合構造の立体分解である。
【図５】本考案に係るテーブル表板とテーブル脚構造を嵌合する説明図である。
【図６】本考案に係るテーブル表板とテーブル脚構造を分離する説明図である。
【図７】本考案に係る嵌合構造を収合する説明図である。
【図８】本考案に係る横ロッドと接合構造と組み合わせ説明図である。
【図９】本考案に係る横ロッドを移動する実施状態例図である。
【図１０】本考案に係る横ロッドを収合する実施状態例図である。
【符号の説明】
【００３２】
１    嵌合構造                      ２５    ピボット接合ブロック
１０    リベット                        ３    テーブル表板
１１    ピボット接合ベース              ４    テーブル脚構造
１１１    ボルト穴                      ４１    横ロッド
１１２    通し孔                      ４１１    長い溝状孔
１２    接続ブロック                  ４２    柱ロッド
１２１    ゲージ穴                      ４３    接合ロッド
１２２    ゲージ穴
１２３    突部                            ７    接合構造
１２４    嵌合止め部                    ７１    接続ベース
１３    接合ブロック                  ７２    曲がりブロック
１３１    通し孔                        ７３    ボルト穴
１３２    曲がりブロック                  ８    テーブル脚構造
１３３    止め部                        ８１    横ロッド
２    接合構造                      ８２    柱ロッド
２１    挿し入れ穴                    ８３    接合ロッド
２２    横ロッド曲がり部            ８１１    通し孔  
２３    接続ベース                      ９    嵌合ブロック
２３１    ボルト穴                      ９１    曲がりブロック
２４    ボルト
【図１】
0003105517.tif 000003
【図２】
0003105517.tif 000004
【図３】
0003105517.tif 000005
【図４】
0003105517.tif 000006
【図５】
0003105517.tif 000007
【図６】
0003105517.tif 000008
【図７】
0003105517.tif 000009
【図８】
0003105517.tif 000010
【図９】
0003105517.tif 000011
【図１０】
0003105517.tif 000012